(57)【要約】【課題】レール枠とガラスの隙間が広がったときであっても、ピアノ線などの遊技領域内への侵入を有効に防止する機構を備えた弾球遊技機を提供する。【解決手段】ガラス扉３が閉じ位置にあるとき、突出板１７ｂは、バネ２０の付勢によってゴム部材２４が背面側のガラス３ａに押し当てられた状態でスリット１８ｂの中に押し込まれているため、例えば供給皿１２に穴を開けてピアノ線２２が侵入したとしても突出板１７ｂにより遊技領域４への侵入を防止することができる。そしてガラス扉３が強制的に前面側へ移動させられたとき、バネ２０の付勢によって突出板１７ｂが前方へ突出し、やはりゴム部材２４が背面側のガラス３ａに押し当てられた状態を維持するから、同様にピアノ線２２の遊技領域４への侵入を防止することができる。【選択図】図６
2009011519.tif 000002
【特許請求の範囲】
【請求項１】
遊技領域と遊技領域の外側の非遊技領域を仕切るレールを有する枠体が遊技盤に設けられ、前記遊技盤の正面を覆う開閉自在なガラス扉とを備えた弾球遊技機において、
前記非遊技領域に設けられ、一端面を前記ガラス扉に向けた姿勢で前後動自在に前記枠体に取り付けられた突出板と、
前記ガラス扉の閉じ位置では前記一端面がガラス扉に押し当てられ、ガラス扉の開き位置では突出板が前方に向かって突出するように、突出板を前方に向けて付勢する付勢手段とを設けたことを特徴とする弾球遊技機。
【請求項２】
前記突出板は、前記レールの少なくとも下部に沿って設けられていることを特徴とする請求項１記載の弾球遊技機。
【請求項３】
前記一端面がゴム部材で覆われていることを特徴とする請求項１又は２記載の弾球遊技機。
【請求項４】
前記ガラス扉は、閉じ位置で前記一端面が押し当てられる部分にゴム部材が設けられていることを特徴とする請求項１又は２記載の弾球遊技機。
【発明の詳細な説明】
【技術分野】
【０００１】
本発明は、パチンコ店などの遊技場に設置して使用されるパチンコ機などの弾球遊技機に関するものである。
【背景技術】
【０００２】
遊技場に設置されるパチンコ機は、本体枠に遊技盤が装着されており、この遊技盤には、各種入賞口や入賞球装置、複数の釘などが設けられた遊技領域があり、球発射装置で打ち出されたパチンコ球をこの遊技領域で流下させ、入賞時にパチンコ球が供給皿に払い出されることによって遊技が行われる。遊技領域は、遊技盤の前面に取り付けられた枠体に取り付けたレールによって外側の非遊技領域と仕切られており、また、遊技盤の前面は、透明なガラスや透明な強化プラスチックプレート製の透明板で覆われ、遊技者が遊技の様子を見ることができるようになっている。ガラス等は本体前面の扉枠に保持されており、このガラス扉は本体枠に回動可能に組み付けられている。
【０００３】
不正行為を行って遊技機により利益を得る、いわゆるゴト師には、上記のようなパチンコ機の構造に目をつけて、巧妙な細工を施すものもいる。すなわち、ピアノ線などを遊技領域へ侵入させ、パチンコ球を強制的に入賞口に導くことで賞球を得るのである。具体的には、例えば、供給皿などの外装部分に穴を開けることによりピアノ線をパチンコ機の内部へ侵入させた上で、ガラス扉を引くなどしてレールとガラス扉との隙間を強制的に広げて、遊技領域へピアノ線を侵入させる行為がある。このような行為を放置するとパチンコ店の利益に悪影響を与えてしまうため、従来から様々な対策が講じられてきた。例えば、特許文献１では、受け皿保持枠のわずかな隙間からピアノ線が侵入することを阻止するために、該保持枠と本体枠との接合部分に各々突出片を設け、これらが接合時に重なるようにしたパチンコ機が提案されている。また、引用文献２では、パチンコ球の衝撃音を減少させるためにレールに可撓性部材で形成した緩衝部材を装着し、さらにピアノ線が遊技領域に侵入することを阻止するために、前記緩衝部材に、ガラス側に突出した不正防止縁部を備えたパチンコ機が提案されている。
【特許文献１】特開２００４−１２９７２５号公報
【特許文献２】特開２００１−１０４５９０号公報
【発明の開示】
【発明が解決しようとする課題】
【０００４】
しかしながら、特許文献１のパチンコ機は、外装に穴を開けるなどしてパチンコ機の内部に侵入したピアノ線に対する不正防止手段を備えておらず、また、特許文献２のパチンコ機は、内部に侵入したピアノ線に対する不正防止手段を備えてはいるものの、レールとガラスの隙間が強制的に広げられた場合には、やはりピアノ線の遊技領域内への侵入を許してしまうことが考えられる。本発明は、こうした背景を考慮してなされたものであり、レールとガラスの隙間が広がったときであっても、ピアノ線などの遊技領域内への侵入を有効に防止する機構を備えた弾球遊技機を提供するものである。
【課題を解決するための手段】
【０００５】
上記課題を解決するために、本発明の弾球遊技機では、遊技領域と遊技領域の外側の非遊技領域を仕切るレールを有する枠体が遊技盤に設けられ、前記遊技盤の正面を覆う開閉自在なガラス扉とを備え、前記非遊技領域に設けられ、一端面を前記ガラス扉に向けた姿勢で前後動自在に前記枠体に取り付けられた突出板と、前記ガラス扉の閉じ位置では前記一端面がガラス扉に押し当てられ、ガラス扉の開き位置では突出板が前方に向かって突出するように、突出板を前方に向けて付勢する付勢手段とを設けた。
【０００６】
前記突出板は、前記レールの少なくとも下部に沿って設けてもよい。また、前記一端面をゴム部材で覆ってもよいし、もしくは、前記ガラス扉の閉じ位置で前記一端面が押し当てられるガラス扉の部分にゴム部材を設けてもよい。
【発明の効果】
【０００７】
本発明の弾球遊技機に拠れば、付勢手段により突出板をガラス扉に向けて付勢されているから、レールとガラスの隙間が広がったときであっても、突出板がガラスに向かって突出して広がった隙間を塞ぎ、ピアノ線の遊技領域への侵入を防止することができる。ここで、突出板をレールの少なくとも下部に沿って設ければ、ピアノ線が侵入する可能性の高い箇所をカバーすることができる。さらに、突出板の一端面をゴムで覆う、もしくは突出板の一端面が押し当てられるガラス扉にゴム部材を設けることで、ガラスを傷つけることなくガラス扉を開閉できる。
【発明を実施するための最良の形態】
【０００８】
本発明に係る弾球遊技機の一例として、パチンコ機の実施形態について説明する。図１並びに図２に示すように、パチンコ機１は、本体２と、本体２の前面に開閉自在に取り付けられたガラス扉３から構成されている。ガラス扉３には、閉じ位置で遊技盤１６の正面を覆うように二重のガラス３ａが設けられており、遊技者が遊技領域４を観察できるようになっている。ガラス３ａの隅には、その前面に様々な飾りが組みつけられており、ガラス３ａを通して遊技盤１６の非遊技領域２７がほとんど見えないようになっている。また、ガラス扉３の上部には一対のスピーカ１４とランプ１５が設けられており、音声と発光で遊技を演出する。
【０００９】
本体２は、その前面上部に遊技盤１６が設けられており、その下部には供給皿１２や操作ハンドル１３が設けられている。遊技盤１６には、障害釘や風車などの他に、センター役物５、通過チャッカー６、始動チャッカー８、通常チャッカー７、アタッカ９などの構造物が設けられている。これら構造物の外周を枠体であるレール枠１８に組みつけられたレール２６で仕切ることで、レール２６の内部の空間が遊技領域４となり、その外側の領域は非遊技領域２７となる。センター役物５の中には、液晶パネル５ａが設けられており、始動チャッカー８にパチンコ球が入賞したときの電子抽選の図柄や遊技中の演出画像などが表示される。
【００１０】
供給皿１２は、パチンコ機１において遊技を行う際にパチンコ球が供給される。また、この供給皿１２には、遊技領域４を流下したパチンコ球が上述した始動チャッカー８、通常チャッカー７或いはアタッカ９のいずれかに入賞したときに、賞球としてパチンコ球が払出口１１を介して払い出される。そして、供給皿１２に供給されたパチンコ球は、整列された状態で内部に設けられた発射装置に送り込まれる。
【００１１】
操作ハンドル１３は、遊技領域４に向けたパチンコ球を発射する際に回転操作される。この操作ハンドル１３を回転させると、内部に設けられた発射装置が作動し、パチンコ球の打ち出し動作が開始される。この発射装置によるパチンコ球の打ち出し強さは、操作ハンドル１３の回転量に基づいて決定される。
【００１２】
遊技領域４の下方の非遊技領域２７には、レール２６の下部に沿い、３枚の突出板１７ａ〜１７ｃが隣り合って設けられている。この突出板１７ａ〜１７ｃの素材は、アルミなどの金属に限定されず、樹脂などでもよい。突出板１７ａ〜１７ｃは、図３のように、３枚を組み合わせると略Ｕ字形状をなすようにレール枠１８に配設される。突出板１７ａ〜１７ｃは、前面側の端面をガラス３ａに向けた姿勢で前後動自在になるように、それぞれの形状に合わせてレール枠１８に設けられたスリット１８ａ〜１８ｃに各々嵌め込まれている。ここで、スリット１８ａ〜１８ｃは、隣接する突出板１７ａ〜１７ｃ同士の隙間からピアノ線などが侵入しないように、突出板１７ａ〜１７ｃの互いの端部が重なり合うように形成されている。
【００１３】
また、突出板１７ａ〜１７ｃの背面側には、図４のように、所定の間隔をおいてバネ２０が取り付けられており、突出板１７ａ〜１７ｃをレール枠１８に取り付けた際、バネ２０がレール枠１８の背面側を覆う背面板２５に押し付けられるようになっている（図６（Ａ）参照）。このバネ２０は、突出板１７ａ〜１７ｃをガラス３ａに向けて付勢する付勢手段であり、ガラス扉３が閉じ位置にあるときに突出板１７ａ〜１７ｃの前面側の端面がガラス３ａにしっかりと押し付けられる程度の長さ及び弾性力を有している。また、ガラス扉３が開き位置にあるときは、図２のように突出板１７ａ〜１７ｃは前方に突出する。なお、付勢手段としては、ゴムなどのバネ２０以外の弾性部材を用いることもできる。
【００１４】
また、図５のように、突出板１７ｂの前面側の端面はゴム部材２４で覆われている。これにより、端面がガラス３ａに当接したときに、ガラス３ａが傷つくことを防止できる。なお、ゴム部材２４はピアノ線を通さないほどの強度があれば、ゴム以外の弾性の素材を用いてもよい。また、突出板１７ｂの後端部には、上方に突出した当接部１７ｄが設けられており、突出板１７ｂがレール枠１８ｂから突出する際、この当接部１７ｄがスリット１８ｂ中の上壁に形成された凸部１８ｄと当接することで、突出板１７ａがスリット１８ｂから外れ落ちることを防止する（図６（Ｂ）参照）。なお、図５は突出板１７ｂについてのみ示しているが、突出板１７ａ，１７ｃについても同様の構成を有する。
【００１５】
次に本発明の作用効果を説明する。図６（Ａ）及び（Ｂ）において、ガラス扉３のガラス３ａは二重張りとなっており、ガラス扉３周囲の外枠３ｂに設けられた溝に嵌め込まれて固定されている。さらに、外枠３ｂの前面側は、意匠を施されたカバー３ｃによって覆われており遊技者からは外枠３ｂが見えないようになっている。このカバー３ｃの下部は、内部に向かって折り曲げられるように形成されている。この折り曲げた部分と、本体枠２１前面の供給皿１２の上端から延出した鉤状部分とが組み合うことで、カバー３ｃと供給皿１２の隙間からピアノ線が侵入することを防止している。
【００１６】
図６（Ａ）のようにガラス扉３が閉じ位置にあるとき、突出板１７ｂは、バネ２０の付勢によってゴム部材２４が背面側のガラス３ａに押し当てられた状態でスリット１８ｂの中に押し込まれている。このため、例えば供給皿１２に穴を開けてピアノ線２２が侵入したとしても突出板１７ｂにより遊技領域４への侵入を防止することができる。
【００１７】
そして、図６（Ｂ）のようにガラス扉３が強制的に前面側へ移動させられたときは、バネ２０の付勢によって突出板１７ｂが前方へ突出して、やはりゴム部材２４が背面側のガラス３ａに押し当てられた状態を維持するから、同様にピアノ線２２の遊技領域４への侵入を防止することができる。したがって、ガラス扉３を前方へ動かしても、ピアノ線２２の侵入できる隙間は生じないために侵入は阻まれる。さらに３枚の突出板１７ａ〜１７ｃは、レール２６の下部に沿って配設されているから、ピアノ線２２の侵入の可能性が高い領域は全て突出板１７ａ〜１７ｃでカバーすることができる。なお、突出板１７ｂにはゴム部材２４が装着されているため、当接するガラス３ａを傷つけないという効果だけでなく、ピアノ線２２侵入のために突出板１７ｂを上方へ傾斜させようとしてもガラス３ａとの間の摩擦力が高いために容易に実行できないという効果も奏する。
【００１８】
また、図７のように、ガラス扉３を開放したときはバネ２０の付勢によって突出板１７ｂが最大限まで突出し、図示しないが同時に他の突出板１７ａ，１７ｃも同様に突出する。このため、パチンコ店の店員が遊技中に発生したパチンコ球の詰まりを解消するためにガラス扉３を開放する場合、開放の過程で落下するパチンコ球２３の多くが３枚の突出板１７ａ〜１７ｃで受けとめられ、突出板１７ａ〜１７ｃは全体として略Ｕ字形状に湾曲しているからいったん中央に集められる。さらに、ガラス扉３が開き位置にくると、集まったパチンコ球２３同士が衝突して弾かれて、パチンコ球２３は前面の下方にある供給皿１２へと落下して収納される。したがって、ガラス扉３の開放時にパチンコ球のほとんどを床に飛散させることなく効率的に回収することができる。なお、図６及び図７は突出板１７ｂについてのみ示しているが、突出板１７ａ，１７ｃについても同様の構成と作用効果を有する。
【００１９】
上述したように、本発明に係る弾球遊技機に拠れば、レール２６とガラス３ａの隙間が広がったときであっても、ピアノ線などの遊技領域４内への侵入を有効に防止することができる。なお、本実施形態では、ゴム部材２４を突出板１７ａ〜１７ｃに取り付けたが、反対に、ガラス３ａの方に取り付けてもよい。すなわち、ガラス３ａにおいて、突出板１７ａ〜１７ｃの前面側の端面が当接する部分に沿ってゴム製のパッドを接着することで、同様の効果を奏することができる。
【００２０】
また、本実施形態では、略Ｕ字形状をなす３つの突出板１７ａ〜１７ｃを用いたが、これに限定されるものではなく、パチンコ機の形態に応じ遊技領域への侵入の可能性がある範囲にあわせて適宜形状や数を決定すればよい。よって遊技領域の外周全体を包囲するような突出板を設けてもよい。なお、本実施形態では弾球遊技機としてパチンコ機１を例示したが、例えばピンボール機など他の弾球遊技機にも適用することができる。
【図面の簡単な説明】
【００２１】
【図１】本発明の弾球遊技機の一例であるパチンコ機を示す斜視図である。
【図２】本発明の弾球遊技機の一例であるパチンコ機を示す斜視図である（ガラス扉開放時）。
【図３】遊技盤の分解斜視図である。
【図４】突出板の背面である。
【図５】突出板の拡大断面図である。
【図６】図２の線分Ｖに沿った簡略断面図である。
【図７】図２の線分Ｖに沿った簡略断面図である（ガラス扉開放時）。
【符号の説明】
【００２２】
１  パチンコ機
３  前面扉
３ａ  ガラス
４  遊技領域
１２  供給皿
１６  遊技盤
１７ａ〜１７ｃ  突出板
１８  レール枠
１９  ベニヤ板
２０  バネ
２１  本体枠
２２  ピアノ線
２４  ゴム部材
２６  レール
【図１】
2009011519.tif 000003
【図２】
2009011519.tif 000004
【図３】
2009011519.tif 000005
【図４】
2009011519.tif 000006
【図５】
2009011519.tif 000007
【図６】
2009011519.tif 000008
【図７】
2009011519.tif 000009